(57)【特許請求の範囲】
【請求項１】
背面部に設けた雄、雌止着具により着脱する方式のブラジャーなどのバック部補強構造であって、伸縮性生地からなる左右バック布の一端部と雄、雌止着具テープ片との境界部近傍に短片の伸縮性テープを縫着してなるブラジャーなどのバック部補強構造。
【発明の詳細な説明】
【０００１】
【発明の属する技術分野】
本発明は、ブラジャー、ボディスーツなどのファンデーションおよび水着などのスポーツ衣料のようにバック布を有する衣類において、着脱時に指が喰いこむバック布の位置に伸縮性テープを取り付けて生地の損傷を防止するブラジャーなどのバック部補強構造に関するものである。
【０００２】
【従来の技術】
バックの布を有する代表的な衣類であるブラジャーは、一般的に左右のカップ布と、そのカップ布の下端部に縫着する土台布と、脇部から背中にかけて伸びるバック布と、肩紐とから構成されている。
【０００３】
このように構成されたブラジャーは、左右のバック布の両端部に取り付けられた雄、雌止着具を係脱することにより着脱している。すなわち、着用に際しては、図５に示すように、バック布２４の一端部と止着具付きテープ片３３の境界部付近に親指Ａを外側にし、人差し指Ｂを内側にして挟み、背中の中央部方向へ引き寄せて雄止着具を雌止着具の所定位置で係合していた。
【０００４】
【発明が解決しようとする課題】
しかしながら、この係合操作を行うと、図６に示すように、親指Aがバック布２４に深く喰い込むため、繰り返して使用しているうちに、図７に示す親指Ａの当たる部分Cの生地が伸びてしまい、やがて擦り切れたり、破れたりして使用できなくなると言った問題があった。特に爪を長く伸ばしている女性の場合には、爪が生地に喰い込んで短期間のうちに破れると言った問題点があった。
【０００５】
本発明は、上記の問題を解決することを課題として開発されたもので、親指の喰い込みによるバック布の損傷を防止でき、長い期間に亘って使用することができると共に、雄、雌止着具の係合操作も簡易になるブラジャーなどのバック部補強構造を提供することを目的とするものである。
【０００６】
【課題を解決するための手段】
上記の課題を解決し、その目的を達成する手段として、本発明では、背面部に設けた雄、雌止着具により着脱する方式のブラジャーなどのバック部補強構造であって、伸縮性生地からなる左右のバック布の一端部と雄、雌止着具テープ片との境界部近傍に短片の伸縮性テープを縫着してなるブラジャーなどのバック部補強構造を開発し、採用した。
【０００７】
【発明の実施の形態】
以下に、本発明の実施の形態をバック布を有する代表的な衣類のブラジャーについて説明するが、本発明はブラジャーのみに限定されるものではなく、図示していないが、例えば、ボディスーツ、水着などのスポーツ衣料にも適用できるものである。
【０００８】
図１〜図２は本発明の実施の形態を示しており、１はブラジャー本体で、両乳房を覆う左右一対のカップ布２，２と、この両カップ布２，２を連結するフロント布３と、カップ布２，２の脇側縁から着用者の背中側に伸びる左右のバック布４，４と、カップ布２，２の上端とバック布４，４の一側上端を連結する伸縮性の肩紐５とから構成されている。そして、両カップ布２，２の下辺湾曲部に沿ってカップを保形するための芯材６を収納する筒状布７が縫着されている。
【０００９】
左右のバック布４，４は、長さ方向および幅方向の両方向に伸縮性を有するが、特に長さ方向により大きな伸縮性を有する編み生地、例えば、パワーネットなどで編成されており、その上端辺および下端辺に長さ方向に伸縮する細幅のゴム状の伸縮性テープ８，９が縫いつけられている。
【００１０】
１０は左右のバック布４，４の一端部と雄、雌止着具テープ片の境界部近傍の内面側において、幅方向の略中央部に縫着されたゴム状の短片の伸縮性テープであり、この短片の伸縮性テープ１０は、前述の上、下端辺の伸縮性テープ８，９と同様に長さ方向に伸縮する。
【００１１】
１１は一方のバック布４の一端部に縫着された雄止着具１２を有するテープ片、１３は他方のバック布４の一端部に縫着された雌止着具１４を有するテープ片である。
【００１２】
上記のように構成した本発明の実施の形態に係るブラジャーなどのバック部補強構造の使用例を作用、効果と共に説明すると、ブラジャーを着用するに際しては、図３に示すように、左右のバック布４，４の一端部を親指Ａと人差し指Ｂとで挟んで背中の中央部に引き寄せて、雄止着具１２を所定位置の雌止着具１４に係合させて着用するのは一般のブラジャーと同じであるが、この係合操作時に親指Ａがバック布４，４に喰いこんでも、バック布４，４の内面側に設けた短片の伸縮テープ１０によって補強されているので生地を傷めることがない。
【００１３】
また、この短片の伸縮性テープは長さ方向に伸縮性が大きいのでバック布４の持つ伸縮性を何ら阻害することなく、同じ方向に一体となって伸縮し、締め付け作用などにおいて悪影響を与えることがない。さらに、短片の伸縮性テープ１０はバック布４の内面側に縫着されているので、外観から見えず体裁がよいものとなる。
【００１４】
また、雄止着具１２を所定位置の雌止着具１４に係合する時に、親指Aと人差し指Bの当接部分が短片の伸縮テープ１０によって厚くなっているので、その分だけ腰が強くなり、しっかり挟むことができて雄止着具１２と雌止着具１４の係合が容易で確実になる。
【００１５】
以上、本発明の主要な実施の形態について説明したが、本発明は上記の実施の形態に限定されるものではなく、例えば、短片の伸縮テープ１０を透明のゴムや装飾ゴムなどにすればバック布の表側に縫着することもあり、本願の要旨を逸脱しない範囲内で種々の設計変更が可能であることは当然である。
【００１６】
【発明の効果】
以上のように、本発明の請求項１の発明は、背面部に設けた雄、雌止着具により着脱する方式のブラジャーなどのバック部補強構造であって、伸縮性生地からなる左右のバック布の一端部と雄、雌止着具テープ片との境界部近傍に短片の伸縮性テープを縫着してなるブラジャーなどのバック部補強構造に係るものであるから、着脱時に親指および人差し指がバック生地に深く喰い込んでも短片の伸縮性テープによって補強されており、生地が伸びたり、切れたり、破れたりすることがなくなって長い期間に亘って使用できる。また、親指Ａと人差し指Bが当接する部分は短片の伸縮テープ１０で厚くなっているから、腰が強くなり、しっかり挟むことができて雄止着具１２と雌止着具１４の係合が容易で確実になる。さらに、短片の伸縮テープは雄、雌止着具テープ片の境界部近傍に縫着されるだけであるから、伸縮性テープが少なくてすみ縫着も容易になる。
【図面の簡単な説明】
【図１】本発明の実施の形態を示すブラジャーの背面図である。
【図２】図１のＡ−Ａ線拡大断面図である。
【図３】バック布を親指と人指し指で挟んだ状態の斜視図である。
【図４】図３の簡略横断面図である。
【図５】  従来のバック布を指で挟んだ状態の斜視図である。
【図６】図５の簡略横断面図である。
【図７】従来のバック布の背面図である。
【符号の説明】
４    バック布
１０  短片の伸縮性テープ
１１  雄止着具テープ片
１２  雄止着具
１３  雌止着具テープ片
１４  雌止着具
【図１】
0003704102.tif 000002
【図２】
0003704102.tif 000003
【図３】
0003704102.tif 000004
【図４】
0003704102.tif 000005
【図５】
0003704102.tif 000006
【図６】
0003704102.tif 000007
【図７】
0003704102.tif 000008